(57)【要約】【課題】扉をコンパクトに回動可能であるとともに、扉が開放された状態において開口よりも前方側に突出する扉の寸法を短くできる扉機構を提供する。【解決手段】開口Ａを閉鎖可能な扉１０５と、支持固定軸Ｆ１１回りに回動可能とされているとともに支持移動軸Ｍ１１回りに回動可能とされ扉１０５を支持する支持アーム１６０と、扉１０５を案内する案内アーム１７０と、開口Ａに交差し開口Ａの奥方向に延びて開口Ａ側である内側Ｂと外側Ｃとを隔てる側壁１３５と、を備え、扉１０５が開放された状態において扉１０５を側壁１３５に沿って配置可能な扉機構１１０であって、支持固定軸Ｆ１１は、側壁１３５から側壁１３５と交差する内側方向に離間して配置される。【選択図】図１
2020066883.tif 000002
【特許請求の範囲】
【請求項１】
開口を閉鎖可能な扉と、支持固定軸回りに回動可能とされているとともに支持移動軸回りに回動可能とされ前記扉を支持する支持アームと、前記扉を案内する案内アームと、前記開口に交差し当該開口の奥方向に延びて当該開口側である内側と外側とを隔てる側壁と、を備え、前記扉が開放された状態において当該扉を前記側壁に沿って当該側壁の外側に配置可能な扉機構であって、
前記支持固定軸は、前記側壁から当該側壁と交差する内側方向に離間して配置されることを特徴とする扉機構。
【請求項２】
前記支持固定軸は、前記側壁との離間寸法が前記開口との離間寸法よりも長寸であることを特徴とする請求項１に記載の扉機構。
【請求項３】
前記支持固定軸は、前記開口が形成された開口縁に固定されていることを特徴とする請求項１または２に記載の扉機構。
【請求項４】
前記支持移動軸は、前記扉の幅方向略中央部に配置されていることを特徴とする請求項１ないし３のいずれかに記載の扉機構。
【請求項５】
前記支持アームは、上下一対に配置され、かつ、一体に連結されていることを特徴とする請求項１ないし４のいずれかに記載の扉機構。
【発明の詳細な説明】
【技術分野】
【０００１】
本発明は、開口を開閉する扉機構に関する。
【背景技術】
【０００２】
扉機構として、一般的に扉を回動させて開口を開閉する扉機構が知られている。このような扉機構は、扉を一つの回動軸を基点に回動させるものであり、構造が簡単である一方、開放時に扉の自由端は開口の前方において円弧を描いて移動するため、開口の前方側に大きなスペースが必要となっていた。このことから、二つの回動軸により回動可能とされたアームを用いることで扉を開口の前方においてコンパクトに回動可能な扉機構が開発されている。
【０００３】
例えば、特許文献１に示されるアームを用いた扉機構は、前方側に開口を有する箱状の本体に、開口を閉鎖可能な扉が支持アーム及び案内アームを用いて連結されることで構成されている。支持アームは、平面視Ｕ字状に形成され、主に扉の荷重を支持するものであり、扉に対して回動可能に配置され当該扉と共に移動する支持移動軸と、本体の側壁に対して回動可能に配置され当該側壁に固定的に支持される支持固定軸とを有している。案内アームは、平面視Ｌ字状に形成され、主に開閉時に扉の移動を案内するものであり、扉に対して回動可能に配置され当該扉と共に移動する案内移動軸と、本体の側壁に対して回動可能に配置され当該側壁に固定的に支持される案内固定軸とを有している。扉の開放操作を行うと、支持移動軸及び案内移動軸は側壁の外側に移動するとともに、支持移動軸は開口よりも後方側へと移動する。このように両方のアームが協働することで、開口の前方で扉を側壁側へ横滑りするように移動させながら、開放が進むほどに扉の端部（閉鎖状態において側壁側の端部）を開口よりも後方に引き込むように移動させるため、扉を開口の前方においてコンパクトに回動可能となっている。
【先行技術文献】
【特許文献】
【０００４】
【特許文献１】特開２０００−１６０９２１号公報（第３頁、第３図）
【発明の概要】
【発明が解決しようとする課題】
【０００５】
しかしながら、特許文献１に示される扉機構は、支持アームが短く形成されているとともに、本体の側壁に支持固定軸が支持されていることから、扉の重量を安定して支持することができるようになっているものの、支持移動軸が扉の側壁側に寄って配置されていることから、扉が開放された状態において、扉を開口よりも後方側へ引き込む寸法が僅かであり、開口よりも前方側へ突出する寸法が長く、開口へのアクセスが悪いという問題があった。
【０００６】
本発明は、このような問題点に着目してなされたもので、扉をコンパクトに回動可能であるとともに、扉が開放された状態において開口よりも前方側に突出する扉の寸法を短くできる扉機構を提供することを目的とする。
【課題を解決するための手段】
【０００７】
前記課題を解決するために、本発明の扉機構は、
開口を閉鎖可能な扉と、支持固定軸回りに回動可能とされているとともに支持移動軸回りに回動可能とされ前記扉を支持する支持アームと、前記扉を案内する案内アームと、前記開口に交差し当該開口の奥方向に延びて当該開口側である内側と外側とを隔てる側壁と、を備え、前記扉が開放された状態において当該扉を前記側壁に沿って配置可能な扉機構であって、
前記支持固定軸は、前記側壁から当該側壁と交差する内側方向に離間して配置されることを特徴としている。
この特徴によれば、支持アームが扉を支持可能な強度を有したまま、扉が閉鎖された状態において支持移動軸を側壁よりも内側に寄せて配置できるため、扉が開放された状態において扉を開口の後方側へ引き込む寸法を長くすることができる。これにより、扉をコンパクトに回動可能であるとともに、開放時に開口よりも前方側に突出する扉の寸法を短くできる。
【０００８】
前記支持固定軸は、前記側壁との離間寸法が前記開口との離間寸法よりも長寸であることを特徴としている。
この特徴によれば、扉の引き込み寸法を確保しながら、支持アームを短くすることができる。
【０００９】
前記支持固定軸は、前記開口が形成された開口縁に固定されていることを特徴としている。
この特徴によれば、簡素な構成で支持強度を得ることができる。
【００１０】
前記支持移動軸は、前記扉の幅方向略中央部に配置されていることを特徴としている。
この特徴によれば、支持アームは扉を重心近傍で支持可能であることから、支持固定軸に作用するモーメント負荷を小さくでき、扉の開閉操作が安定する。
【００１１】
前記支持アームは、上下一対に配置され、かつ、一体に連結されていることを特徴としている。
この特徴によれば、支持アームによる扉の支持強度をさらに高められることから、扉の開閉操作がより安定する。
【図面の簡単な説明】
【００１２】
【図１】本発明の実施の形態における扉機構を模式的に示す平面図である。
【図２】本発明の実施例における扉機構が採用された展示ケースを示す斜視図である。
【図３】扉機構が採用された展示ケースの扉を開放した状態を示す斜視図である。
【図４】扉機構が採用された展示ケースの分解斜視図である。
【図５】支持アーム機構を示す斜視図である。
【図６】扉が閉鎖された状態における扉機構を示す平面図である。
【図７】扉が開放された状態における扉機構を示す平面図である。
【図８】（ａ）〜（ｆ）は、扉の開閉動作を模式的に示す平面図である。
【図９】（ａ）〜（ｃ）は、本発明の扉機構が適用される筐体の一例を示す平面図である。
【発明を実施するための形態】
【００１３】
本発明に係る扉機構を実施するための形態を説明する。
【実施の形態】
【００１４】
本発明の実施の形態に係る扉機構につき、図１を参照して説明する。
【００１５】
図１に示されるように、扉機構１１０は、開空間Ａ（開口）を閉鎖可能な扉１０５と、扉１０５に取り付けられ扉１０５を回動支持する２つのアームである支持アーム１６０及び案内アーム１７０と、開空間Ａ（閉位置における扉１０５（二点鎖線参照））に交差し当該開空間Ａの奥方向に延びて当該開空間Ａ側である内側Ｂと外側Ｃとを隔てる側壁１３５と、を備えており、扉１０５は閉位置で開空間Ａを塞ぎ、扉１０５は開位置で側壁１３５の外側Ｃにて当該側壁１３５と略平行となり開空間Ａを開放するようになっている。
【００１６】
支持アーム１６０は、固定部に対して相対的に回動可能に配置され固定部に固定的に支持される支持固定軸Ｆ１１と、扉１０５に対して相対的に回動可能に配置され扉１０５と共に移動する支持移動軸Ｍ１１とにより、主に扉１０５の荷重を支持するものである。また、案内アーム１７０は、固定部に対して相対的に回動可能に配置され固定部に固定的に支持される案内固定軸Ｆ１２と、扉１０５に対して相対的に回動可能に配置され扉１０５と共に移動する案内移動軸Ｍ１２とにより、主に扉１０５の移動を案内するものである。
【００１７】
扉１０５が閉鎖された状態において支持移動軸Ｍ１１を側壁１３５よりも内側Ｂに寄せて配置できるため、扉１０５が開放された状態において扉１０５を開空間Ａの後方側へ引き込む寸法を長くすることができる。これにより、扉１０５をコンパクトに回動可能であるとともに、扉１０５が開放された状態において開空間Ａよりも前方側に突出する扉１０５の寸法を短くできるようになっている。
【００１８】
また、支持固定軸Ｆ１１が側壁１３５から当該側壁１３５と交差する内側Ｂ方向に離間して軸支されることで、扉１０５の引き込み寸法を確保しながら支持固定軸Ｆ１１と支持移動軸Ｍ１１との距離であるモーメントアーム長を短く構成できるため、支持アーム１６０を小型とすることができる。これにより、支持固定軸Ｆ１１に作用するモーメント負荷を小さくすることができるため、扉１０５を安定して支持できるようになっている。
【００１９】
上述したように、扉機構１１０は、開空間Ａを閉鎖可能な扉１０５を支持アーム１６０及び案内アーム１７０を用いて側壁１３５の外側Ｃに開放可能な構成であれば様々な装置に適用することができる。その具体例として、本発明に係る展示ケースに適用した扉機構を実施例に基づいて以下に説明する。
【実施例】
【００２０】
実施例に係る扉機構につき、図２から図８を参照して説明する。
【００２１】
また、本実施例においては、展示ケースの扉が閉鎖された状態を基準に、展示ケースの内側に面する各面を内面、展示ケースの外側に面する各面を外面として説明する。
【００２２】
本実施例に係る扉機構１０（図３参照）は、美術館、博物館等で彫刻、美術品、骨董品、宝石等の展示品を展示する展示ケース１に使用されている。展示ケース１は、図２に示されるように、扉５が閉鎖された状態では、展示ケース１の隙間を密封し、内側４Ｂの気密性を高め、展示ケース１内の湿度を一定に保ち、外気に含まれる汚染物質の侵入を防止して、展示品の劣化を抑制できるようになっているとともに、図３に示されるように、扉５が開放された状態では、扉５が側壁３５の外側へ沿った位置に配置されているため、展示品の出し入れや展示品のメンテナンスを容易に行うことができるようになっている。
【００２３】
図２〜図４に示されるように、展示ケース１は、前方側に開口３Ａを有する箱状の基礎筐体３上に開口４Ａを有する箱状の展示筐体４が連結されて構成される本体２と、基礎筐体３の開口３Ａ及び展示筐体４の開口４Ａを閉鎖可能な扉５（扉機構１０）と、本体２に固定され扉５を開閉動作可能に連結する支持アーム機構６（扉機構１０）及び案内アーム機構７（扉機構１０）と、から主に構成されている。支持アーム機構６及び案内アーム機構７は、両端部それぞれに蝶番を備えたいわゆる二軸蝶番構造とされており、扉５が開放された状態において扉５を基礎筐体３の側壁３５の外側に沿った状態で配置可能となっている。
【００２４】
まず、図４を用いて、基礎筐体３について説明する。基礎筐体３は、直方体状のフレーム３０の右側面、後側面、左側面にそれぞれ側壁３５，３６，３７が固定され、上側面に気密板３９が固定され、気密板３９の中央部に載置台３８が固定されることによって構成されており、開口３Ａ側である内側３Ｂと外側Ｃとが隔てられている。特に、扉５が開放される側に配置された側壁３５について詳しくは、後述する縦杆部材３０ｃを挟んで開口３Ａ（閉鎖された状態の扉５（図６参照））に対して直交し開口３Ａの奥方向に延びている。
【００２５】
フレーム３０は、左右方向に延びる前後一対の幅杆部材３０ａ，３０ａと前後方向に延びる左右一対の奥行杆部材３０ｂ，３０ｂとが連結された平面視正方形状の四方枠を２つ形成し、これら２つの四方枠を上下方向に離間配置して、上下方向に対向する各角部同士を上下方向に延びる縦杆部材３０ｃ，３０ｃ，３０ｃ，３０ｃで連結して形成されている。また、前方側上下の幅杆部材３０ａ，３０ａと前方側左右の縦杆部材３０ｃ，３０ｃとによって開口縁３０ｆが形成され、開口縁３０ｆは開口３Ａを画成している。
【００２６】
また、フレーム３０の下方側の四方枠内には、左右方向中央部に前後方向に延びる中央奥行杆部材３０ｄが渡設されており、この中央奥行杆部材３０ｄと左右それぞれの奥行杆部材３０ｂとの間における前後方向中央部に左右方向に延びる中央幅杆部材３０ｅが渡設されている。これらにより、フレーム３０の構造強度が高められている。
【００２７】
また、基礎筐体３は、ロック機構８及び扉５をマグネットに着磁させて仮固定位置に保持するキャッチャ９を備えている。ロック機構８は、側壁３７を開放して嵌合された図示しないハンドルが操作されることで、仮固定位置の扉５を閉鎖位置にロックするものである。
【００２８】
次に、図２〜図４を用いて、展示筐体４について説明する。展示筐体４は、側面視長方形状のガラス側板４１，４２，４３、平面視正方形状のガラス天板４８、及び基礎筐体３の気密板３９の縁部同士を、図示しないコーキング剤によって気密に固着して構成されており、開口４Ａ側である内側４Ｂと外側Ｃとが隔てられている。また、ガラス側板４１，４３の前端面は、気密板３９の前端面と略同一平面を成している（図３参照）。
【００２９】
また、本体２には、図３に示されるように、ガラス側板４１，４３の上端からフレーム３０の上端に亘って、それらの前端面に沿ってパッキンＰ１，Ｐ１が接着剤で固着されている。また、ガラス天板４８の前端面、気密板３９の前端面それぞれに沿ってパッキンＰ２，Ｐ２が接着剤で固着されており、各パッキンＰ２はパッキンＰ１，Ｐ１に亘っている。
【００３０】
次に、扉５について説明する。図４を参照して、扉５は、金属製の薄板の両側端部を折り曲げて平面視Ｃ字状に形成された側壁５５のスリットに上方から挿入した側面視長方形状のガラス側板５０と、側壁５５の内面側にて当該側壁５５の前端面と対向配置される薄板状の支持板材５６と、側壁５５とをコーキング剤で固着することにより形成されている。尚、説明の都合上、扉５の開閉操作時における案内アーム機構７よりも支持アーム機構６側を内径側として、側壁３５側の扉５の側端部（右側端部）を内径側端部５Ｒ、反対側の側端部（左側端部）を外径側端部５Ｌとする。
【００３１】
図４を参照して、側壁５５は、金属の薄板を板金加工して側面視長方形状の板状に形成されている。図６を参照して、支持板材５６は、着磁性を有する金属の薄板であり、その内面側には、外径側端部５Ｌ側の下端部から内面側に突出し、案内アーム機構７が取り付けられるプレート状の扉側取付部材５１が固定されている。尚、扉側取付部材５１はプレート状に限らず、ブロック状やフレーム状であってもよく、その形状が限定されるものではない。
【００３２】
次に、図５〜図７を用いて、支持アーム機構６について説明する。尚、以降の説明については、主に基礎筐体３側について説明し、特に断らない限り展示筐体４側の説明を省略する。さらに尚、図６〜図８では、説明の都合上、フレーム３０の上方側の四方枠の図示を省略している。
【００３３】
図５，図６を参照して、支持アーム機構６は、平面視Ｊ字状に形成された２つの管状の支持アーム６０を上下方向に離間配置し、各短管部６０ａ同士を上下方向に延びるＣ字チャンネル杆状の連結杆６５で連結し、各長管部６０ｃ同士を上下方向に延びるＣ字チャンネル杆状の連結杆６８で連結することで形成されている。尚、短管部６０ａ及び長管部６０ｃは、直線状に延びる連結部６０ｂにより連結され、互いに略平行となっている。
【００３４】
支持アーム機構６のフレーム３０に固定される側について説明する。連結杆６５の上下端部それぞれに連結板６６ａ、支持固定軸Ｆ１及び連結板６６ｂからなる固定軸支部６６が設けられている。連結板６６ａは連結杆６５の上端部または下端部にボルトナットで固定され、連結板６６ａと連結板６６ｂとは支持固定軸Ｆ１により連結され、連結板６６ｂはフレーム３０の幅杆部材３０ａに固定されている。連結板６６ａは支持固定軸Ｆ１を基点として垂直軸回りに回動可能となっている。
【００３５】
支持アーム機構６の扉５に固定される側について説明する。連結杆６８の側端部の上下端部それぞれに連結板６９ａ、支持移動軸Ｍ１及び連結板６９ｂからなる移動軸支部６９が設けられている。連結板６９ａは連結杆６８の側端部の上端部または下端部にボルトナットで固定され、連結板６９ａと連結板６９ｂとは支持移動軸Ｍ１により連結され、連結板６９ｂは扉５の幅方向中央部にて支持板材５６の上端部または下端部に固定されている。連結板６９ａ，６９ｂは、それぞれ支持移動軸Ｍ１を基点として垂直軸回りに回動可能に構成されている。
【００３６】
図６を参照し、支持アーム機構６の支持固定軸Ｆ１は、扉５が閉鎖された状態において側壁３５の外面と支持アーム機構６の支持移動軸Ｍ１との略中央部に配置され、側壁３５から当該側壁３５と直交する内側Ｂ方向に離間して配置されている。また、支持固定軸Ｆ１は、連結板６６ｂが開口３Ａを画成する上下一対の幅杆部材３０ａ，３０ａに固定されることで、開口３Ａに近接配置されている。さらに、支持固定軸Ｆ１と側壁３５の外面との離間寸法Ｄ１は、支持固定軸Ｆ１と扉５の内面との離間寸法Ｄ２よりも長寸となっている（Ｄ１＞Ｄ２）。
【００３７】
また、上述したように、支持固定軸Ｆ１が側壁３５と離間し、かつ開口３Ａと近接して配置されることで、後述する扉５の引き込み寸法を確保しながら支持固定軸Ｆ１と支持移動軸Ｍ１との距離であるモーメントアーム長を短く構成できるため、支持アーム６０を小型とすることができる。これにより、支持固定軸Ｆ１に作用するモーメント負荷を小さくできる。また、支持アーム機構６は、上下一対に配置された支持アーム６０，６０が連結杆６５及び連結杆６８によって一体に連結されて構成されることで、その構造強度が高められている。これらにより、支持アーム機構６は、扉５の重量を十分に支持可能となっている。
【００３８】
次に、図６を用いて、案内アーム機構７について説明する。案内アーム機構７は、プレート状のフレーム側取付部材７３と、金属製の直管を折り曲げることで平面視Ｌ字状に形成された本体片７２と、金属製の直管を折り曲げることで平面視Ｌ字状に形成された延設片７１と、から主に構成されている。尚、フレーム側取付部材７３はプレート状に限らず、ブロック状やフレーム状であってもよく、その形状が限定されるものではない。
【００３９】
延設片７１は、直線状に延びる短管部７１ａの端部から長管部７１ｂが略垂直方向に延びており、延設片７１の長管部７１ｂの端部は、扉５の扉側取付部材５１に回動不能にボルトナットにより固定されている。
【００４０】
本体片７２は、直線状に延びる短管部７２ａの端部から長管部７２ｂが略垂直方向に延びており、本体片７２の長管部７２ｂの端部は、延設片７１の短管部７１ａの端部に案内移動軸Ｍ２によって垂直軸回りに回動可能に軸支されている。これら延設片７１、案内移動軸Ｍ２及び本体片７２により案内アーム７０が構成されている。
【００４１】
また、本体片７２の短管部７２ａの端部は、フレーム側取付部材７３に案内固定軸Ｆ２によって垂直軸回りに回動可能に軸支されており、フレーム側取付部材７３はフレーム３０の中央幅杆部材３０ｅにボルトナットによって回動不能に固定されている。このように、案内固定軸Ｆ２は、側壁３５と開口３Ａとから離間してフレーム３０の下方側の四方枠の略中央部に配置されている。
【００４２】
また、扉５が閉鎖された状態において案内移動軸Ｍ２は支持移動軸Ｍ１よりも開口３Ａから離間して内側Ｂに配置されるとともに、支持移動軸Ｍ１は案内固定軸Ｆ２と案内移動軸Ｍ２との略中央に位置している。
【００４３】
次に、図８を用いて、扉５の開放について説明する。まず、図８(ａ)を参照して、扉５が閉鎖された状態においてロック機構８による扉５のロックを解除する。次いで、扉５の開放操作を開始すると、扉５は、支持アーム機構６に支持されながら当該支持アーム機構６の回動に伴って移動し始める。扉５が閉鎖された状態において、支持固定軸Ｆ１と支持移動軸Ｍ１とを結ぶ線分と、案内固定軸Ｆ２と案内移動軸Ｍ２とを結ぶ線分とが略並行になっているため、扉５の移動が案内アーム機構７に案内されて、図８（ｂ），（ｃ）に示されるように、開口３Ａに対して略平行に前方側へと移動する。これにより、開放時にパッキンＰ１，Ｐ２に対してねじれ方向に作用する力を低減することができるため、扉５は円滑に開放方向に移動できる。
【００４４】
図８（ｃ）の状態から扉５の開放を進めると、図８（ｄ）に示されるように、内径側端部５Ｒが側壁３５側（右側）にスライド移動して側壁３５を越えて外側に突出するとともに、開放が進むほどに内径側端部５Ｒが開口３Ａの後方へ引き込まれるように扉５が傾きながら外径側端部５Ｌが前方へと突出して、図８（ｅ）に示されるように、側壁３５の外側へと回り込み始める。
【００４５】
また、図８（ｄ）においては、案内固定軸Ｆ２、案内移動軸Ｍ２、及び延設片７１の長管部７１ｂの自由端部が固定された扉５の扉側取付部材５１（図６，図７参照）が略直線状に並んだ状態であり、案内固定軸Ｆ２と延設片７１の長管部７１ｂの自由端部との離間距離が略最大であり、扉５が前方側へ最も突出したその寸法は、扉５の幅寸法Ｗ（図７参照）と比較して略半部である。すなわち、案内アーム機構７によって扉５を案内することによって、扉５開放時に、開口３Ａの前方に必要なスペースを扉５の幅寸法Ｗよりも小さくすることができる。
【００４６】
図８（ｅ）の状態から扉５の開放を進めると、図８（ｆ）に示されるように、支持アーム機構６の連結部６０ｂと延設片７１の長管部７１ｂとが略平行に配置され、側壁３５と支持アーム機構６の長管部６０ｃと扉５とが略平行に配置され、扉５の開放操作が完了し、扉５が開放された状態となる。
【００４７】
図７に戻って、扉５が開放された状態について詳しくは、支持アーム６０は、短管部６０ａの端から連結部６０ｂの端面までの寸法Ｌ１が、幅杆部材３０ａの前後寸法よりも長寸（例えば１．５倍）となるように形成されており、短管部６０ａの寸法Ｌ１と幅杆部材３０ａの前後寸法との差が小さいことから、扉５が開放された状態において支持アーム機構６の連結部６０ｂが開口３Ａの前方側へ突出する寸法を小さくすることができる。これに伴い、支持アーム機構６の長管部６０ｃが開口３Ａから後方側へ延びる寸法を長くとることができるため、扉５の引き込み寸法を長くとることができる。
【００４８】
尚、寸法Ｌ１は、幅杆部材３０ａの前後寸法よりも長寸であり、扉５開放時に、連結部６０ｂが本体２の前端よりも前方側へ突出可能な寸法であればよく、幅杆部材３０ａの前後寸法＋１５〜３０ｍｍ程度となることが好ましい。
【００４９】
また、支持アーム６０は、長管部６０ｃの端から連結部６０ｂの端面までの寸法Ｌ２が、寸法Ｌ１よりも長寸（例えば２．２倍）に形成されていることから、扉５の引き込み寸法を長くとることができる（Ｌ１＜Ｌ２）。
【００５０】
また、移動軸支部６９は、支持アーム６０が小型でありながらも、固定軸支部６６が側壁３５と離間し、かつ開口３Ａと近接して配置されることで、内径側端部５Ｒよりも外径側端部５Ｌ側に寄った扉５の幅方向中央部に配置されていることから、扉５の引き込み寸法を長くとることができる。
【００５１】
図６，図７に示されるように、本実施例において、支持固定軸Ｆ１は開口３Ａと近接した位置に配置されているが、開口３Ａよりも少し内側３Ｂの位置にある。これは、支持固定軸Ｆ１として強度の高い大型のヒンジ（固定軸支部６６）を設ける必要があり、ヒンジと幅杆部材３０ａとの干渉を避けたためである。また、支持固定軸Ｆ１の位置を、支持固定軸Ｆ１と支持移動軸Ｍ１とを結ぶ線分Ｌ４の寸法が扉５の幅寸法Ｗのおおよそ１／３となる位置とした（Ｌ４≒Ｗ／３）。
【００５２】
その結果、扉閉鎖時における平面視において、線分Ｌ４と、支持固定軸Ｆ１を通り開口３Ａに平行な線分とのなす角θ１はおおよそ１０ｄｅｇとなった（図６参照）。また、扉開放時の支持移動軸Ｍ１と支持固定軸Ｆ１とを結ぶ線分と、支持固定軸Ｆ１を通り開口３Ａに平行な線分とのなす角θ２はおおよそ３０ｄｅｇとなった（図７参照）。尚、なす角θ１，θ２は、その数値に限定されるものではなく適宜変更されてもよい。これは、以降の数値についても同様である。
【００５３】
これにより、支持移動軸Ｍ１は扉閉鎖時から扉開放時に至るまで、後方にＬ４×ｓｉｎ３０ｄｅｇ＋Ｌ４×ｓｉｎ１０ｄｅｇ≒０．６７Ｌ４≒０．２２Ｗ移動する。扉閉鎖時の支持移動軸Ｍ１はおおよそ開口３Ａ上にあるから、支持移動軸Ｍ１の後方移動距離０．２２Ｗに扉５の幅寸法Ｗの略半分である幅寸法Ｈ（Ｗ／２≒Ｈ）を加えた寸法（約０．７２Ｗ）分、扉５の内径側端部５Ｒを開口３Ａから後方に引き込むことができる。また、扉５の外径側端部５Ｌが開口３Ａから突出する寸法を、扉５の幅寸法Ｗの略四半分（約０．２８Ｗ）とすることができる。
【００５４】
また、支持アーム機構６の短管部６０ａと長管部６０ｃとの離間寸法Ｌ３と、短管部６０ａと側壁３５の外面との離間寸法Ｄ３との差は小さくて良いことから、扉５が開放された状態において扉５と側壁３５との離間寸法Ｄ４を小さくすることができる（Ｌ３＞Ｄ３＞Ｄ４）。
【００５５】
より詳しくは、支持移動軸Ｍ１は扉閉鎖時から扉開放時に至るまで、側壁３５の外側Ｃ（右方向）にＬ４×ｃｏｓ３０ｄｅｇ＋Ｌ４×ｃｏｓ１０ｄｅｇ≒１．８５Ｌ４≒０．６２Ｗ移動する。扉閉鎖時の支持移動軸Ｍ１はおおよそ扉５の中心にあることより、寸法Ｄ４は、支持アーム機構６の右方向移動距離０．６２Ｗから寸法Ｈを引いた０．１２Ｗ程度と小さくすることができる。
【００５６】
尚、寸法Ｌ３は、短管部６０ａと側壁３５の外面との離間寸法Ｄ３よりも長寸であり、扉５開放時に、長管部６０ｃが側壁３５の外面よりも外側へ配置可能な寸法であればよく、寸法Ｄ３の１．２倍から１．５倍程度となることが好ましい。また、寸法Ｄ４は、寸法Ｄ３よりも短寸であることが好ましい。
【００５７】
また、扉５の閉鎖については、上述した扉５の開放を逆の手順で（図８（ｆ）〜（ａ）の順）で行えばよい。
【００５８】
以上説明してきたように、本実施例の扉機構１０は、支持アーム６０が扉５を支持可能な強度を有したまま、扉５が閉鎖した状態において支持移動軸Ｍ１を側壁３５よりも内側Ｂ（外径側端部５Ｌ）に寄せて配置できるため、扉５が開放した状態において扉５を開口３Ａの後方側へ引き込む寸法を長くすることができる。これにより、扉５をコンパクトに回動可能であるとともに、開放時に開口３Ａよりも前方側に突出する扉５の寸法を短くできる。
【００５９】
また、支持固定軸Ｆ１は、開口３Ａを構成する幅杆部材３０ａ，３０ａに固定されていることから、簡素な構成で支持強度を得ることができる。
【００６０】
また、支持移動軸Ｍ１は、扉５の幅方向略中央部に配置されていることで、支持アーム機構６は、扉５を重心近傍で支持可能であることから、支持固定軸Ｆ１１に作用するモーメント負荷を小さくでき、扉５の開閉操作が安定する。
【００６１】
また、支持アーム機構６は、支持アーム６０を上下一対に配置して、一体に連結することで構成されており、支持アーム６０による扉５の支持強度をさらに高められていることから、扉５の開閉操作がより安定する。
【００６２】
以上、本発明の実施例を図面により説明してきたが、具体的な構成はこれら実施例に限られるものではなく、本発明の要旨を逸脱しない範囲における変更や追加があっても本発明に含まれる。
【００６３】
例えば、前記実施例では、支持アーム機構６は、支持アーム６０の一端に連結板６６ａ、支持固定軸Ｆ１及び連結板６６ｂを備えた固定軸支部６６、他端に連結板６９ａ、支持移動軸Ｍ１及び連結板６６ｂを備えた移動軸支部６９からなるいわゆる二軸蝶番構造の態様として説明したが、これに限らず、支持アームの両端部にピン（軸）が形成され該ピンがフレーム３０または扉５に設けられた貫通孔（軸受）に挿通されて垂直軸回りに回動可能に軸支されていてもよく、支持アームの両端部に形成された貫通孔にフレーム３０または扉５に設けられたピンが挿通されて垂直軸回りに回動可能に軸支されていてもよい。案内アーム７０についても同様である。
【００６４】
支持アーム機構６は、固定軸支部６６の連結板６６ｂが幅杆部材３０ａ，３０ａに固定されている態様として説明したが、これに限らず、載置台３８または底板に固定されていてもよく、開口３Ａ側の縦杆部材３０ｃ，３０ｃに渡設された梁材に固定されていてもよく、限定されるものではない。より詳しくは、支持アーム機構６（支持アーム６０）及び案内アーム機構７（案内アーム７０）の回動軌跡を確保して、支持固定軸Ｆ１を固定部に取り付け可能な構成であればよい。
【００６５】
また、支持固定軸Ｆ１は、側壁３５の外面と支持移動軸Ｍ１との略中央部に配置され、開口３Ａに近接して配置されている態様として説明したが、支持アームの形状や所望の扉５の開閉動作に応じて取り付け位置を変更してもよい。例えば、支持アーム６０の寸法Ｌ１をより短くするために、支持固定軸Ｆ１を開口３Ａ内に配置してもよい。
【００６６】
また、案内アーム７０は、延設片７１及び本体片７２が案内移動軸Ｍ２によって連結されることで構成されている態様として説明したが、これに限らず、一部材で形成されたその両端部に案内移動軸及び案内固定軸を有する態様であってもよく、限定されるものではない。さらに、扉が内面側に延出する延出部を備え、該延出部に本体片７２が案内移動軸Ｍ２によって連結されている態様であってもよい。
【００６７】
また、案内アーム機構７は、フレーム側取付部材７３が中央幅杆部材３０ｅに固定される態様として説明したが、これに限らず、中央奥行杆部材３０ｄや中央幅杆部材３０ｅに直接軸支されていてもよく、載置台３８や底板に軸支されていてもよく、対角線上に位置する縦杆部材３０ｃ，３０ｃに渡設される梁材等に軸支されていてもよく、限定されるものではない。より詳しくは、支持アーム機構６（支持アーム６０）及び案内アーム機構７（案内アーム７０）の回動軌跡を確保して、案内固定軸Ｆ２を固定部に取り付け可能な構成であればよい。
【００６８】
展示筐体４及び基礎筐体３は、平面視矩形状である態様として説明したが、これに限らず、前記実施の形態で説明したように、開空間Ａを閉鎖可能な扉１０５を支持アーム１６０及び案内アーム１７０を用いて側壁１３５の外側に開放可能な構成であればよいことから、その形状についても限定されるものではない。形状の一例として、図９（ａ）に示されるように、開口Ａ１と側壁２３５とが略直交して配置されて内側Ｂ１と外側Ｃとを隔てる平面視直角三角形状の筐体２０３に本発明の扉２０５、支持アーム２６０及び案内アーム２７０から構成され内側Ｂ２と外側Ｃとを隔てる扉機構２１０が適用されていてもよく、図９（ｂ）に示されるように、開口Ａ２に対して略１３５度傾斜して配置された側壁３３５を有する略平面視八角形状の筐体３０３に本発明の扉３０５、支持アーム３６０及び案内アーム３７０から構成され内側Ｂ３と外側Ｃとを隔てる扉機構３１０が適用されていてもよく、図９（ｃ）に示されるように、開口Ａ３の一端部から他端部にかけて半円弧状に延設された側壁４３５を有する平面視半円状の筐体４０３に本発明の扉４０５、支持アーム４６０及び案内アーム４７０から構成される扉機構４１０が適用されていてもよい。
【符号の説明】
【００６９】
１              展示ケース
３              基礎筐体
３Ａ            開口
３Ｂ            内側
４              展示筐体
４Ａ            開口
４Ｂ            内側
５              扉
１０            扉機構
３０            フレーム
３５            側壁
６０            支持アーム
７０            案内アーム
１０５          扉
１１０          扉機構
１３５          側壁
１６０          支持アーム
１７０          案内アーム
２０３〜４０３  筐体
２０５〜４０５  扉
２１０〜４１０  扉機構
２６０〜４６０  支持アーム
１７０〜４７０  案内アーム
Ａ              開空間（開口）
Ｂ              内側
Ｃ              外側
Ａ１〜Ａ３      開口
Ｂ１〜Ｂ３      内側
Ｄ１〜Ｄ５      寸法
Ｆ１            支持固定軸
Ｆ１１          支持固定軸
Ｆ１２          案内固定軸
Ｆ２            案内固定軸
Ｌ１〜Ｌ３      寸法
Ｍ１            支持移動軸
Ｍ１１          支持移動軸
Ｍ１２          案内移動軸
Ｍ２            案内移動軸
【図１】
2020066883.tif 000003
【図２】
2020066883.tif 000004
【図３】
2020066883.tif 000005
【図４】
2020066883.tif 000006
【図５】
2020066883.tif 000007
【図６】
2020066883.tif 000008
【図７】
2020066883.tif 000009
【図８】
2020066883.tif 000010
【図９】
2020066883.tif 000011